(57)【特許請求の範囲】
【請求項１】
装着部を持つ本体；
前記装着部に着脱可能に装着され、光線出力部を備えた光線カートリッジ；及び
前記装着部に着脱可能に装着され、接触吸熱部を備えたクーリングカートリッジ；を含んでなり、
前記装着部は、前記本体の前方に結合され、クーリングカートリッジの第１締結部が締結される第１対応締結部を持つ第１装着部材と、前記第１装着部材の前方に結合され、光線カートリッジの第２締結部が締結される第２対応締結部を持つ第２装着部材とからなり、
前記接触吸熱部は、熱電素子からなり、熱電素子の露出部が接触吸熱部の冷却部として機能し、熱電素子の非露出部が放熱部として機能し、
前記クーリングカートリッジは、前記接触吸熱部を構成する熱電素子が前、後方を貫くように備えられ、前記クーリングカートリッジが前記第２装着部材を覆いながら前記クーリングカートリッジの第１締結部が前記第１装着部材の第１対応締結部に結合されて、前記熱電素子の放熱部が前記第２装着部材に接触しながら放熱が行われることを特徴とする、光線カートリッジ及びクーリングカートリッジの取替えが可能な除毛器。
【請求項２】
前記装着部は、冷却ファンをさらに備えていることを特徴とする請求項１に記載の光線カートリッジ及びクーリングカートリッジの取替えが可能な除毛器。
【請求項３】
前記装着部は、内外部の空気を換気させる換気手段を備えていることを特徴とする請求項１又は請求項２に記載の光線カートリッジ及びクーリングカートリッジの取替えが可能な除毛器。
【請求項４】
前記光線カートリッジの光線出力部は、皮膚接触感知センサーをさらに備えていることを特徴とする請求項１ないし請求項３のいずれか１項に記載の光線カートリッジ及びクーリングカートリッジの取替えが可能な除毛器。
【発明の詳細な説明】
【技術分野】
【０００１】
本発明は光線カートリッジ及びクーリングカートリッジの取替えが可能な携帯用除毛器に係わる。より詳しくは光線を用いて皮膚美容に使われる光線照射器、特に除毛器において携帯性を向上させて使用が便利であり、光線を用いた除毛の後、発熱による皮膚刺激を鎮静させて皮膚損傷を防止することができ、さらに除毛目的の外に皮膚マッサージ、皮膚美白、角質除去などの多様な皮膚美容の用途に活用される光線出力部を備えた光線カートリッジと、接触吸熱部を備えたクーリングカートリッジとが取り替えられて本体に着脱可能に装着可能な、光線カートリッジ及びクーリングカートリッジの取替えが可能な携帯用除毛器に関する。
【背景技術】
【０００２】
通常、除毛器は人体の皮膚上の体毛、つまり毛、髪の毛などを除去するための装置を言う。伝統的な除毛器としては、剃刀の刃を用いて体毛を剃る剃刀、体毛を強制的に抜き取って毛根を除去する脱穀装置方式の強制除毛器などがある。
【０００３】
しかし、前記のような伝統的な除毛器は体毛を物理的な方法で強制的に除去するものである。剃刀は毛根を除去することができないので継続して除毛を行わなければならないため、完全な除毛を達成することに限界がある。又、強制除毛器は除毛過程中に使用者の痛症を引き起こすため、使用が不便で毛嚢の大きさが増加するなどの皮膚損傷を引き起こす問題点がある。
【０００４】
前記のような問題点を解決するための除毛器に関する従来技術として、大韓民国登録特許第１０−０９１５３７１号（２００９．０８．２７）「伝熱式除毛器」（以下、特許文献１という）がある。前記特許文献１は、熱線を用いて除毛部の櫛目の間を通る体毛を除去する除毛器に関するものである。しかし、前記特許文献１は、熱線が皮膚に直接接触するから、高熱による皮膚損傷を引き起こすだけでなく、熱を用いて体毛を焼いて除去する方式のもので、毛根の完全な除去によって体毛が再び育つことを防止する効果が低く、除毛過程中に体毛が焼けるため、使用が非常に不便な欠点がある。
【０００５】
前記のような問題点を解決するために、光線の波長を用いて除毛を行う除毛器がある。これに関連した従来技術としては、大韓民国登録実用新案第２０−０３６０１５０号（２００４．０８．１７）「光線皮膚治療器」（以下、特許文献２という）がある。前記特許文献２は、５６０ｎｍないし１１００ｎｍの波長の光線を照射する除毛用ハンドピースによって体毛の除去が行われる。ハンドピースの作動のための本体が別に備えられて携帯性が劣るから、専門治療機関などのみで使用が可能であり、一般の使用者が易しく使うことができない欠点がある。また、前記特許文献２は、除毛後、光線波長によって皮膚が一定温度以上に上昇したとき、これをすぐ解消することができなくなるので、皮膚にひどい刺激を引き起こす危険が高く、除毛後、皮膚鎮静措置を適時に行うことができなければ皮膚が損傷する結果をもたらす問題点がある。
【０００６】
一方、他の従来技術として、大韓民国登録特許第１０−０８０１３７６号（２００８．０１．２９）「光パルスを用いた携帯用除毛器」（以下、特許文献３という）がある。前記特許文献３は、光パルスを照射するために、本体の中空部に設置されたフラッシュランプによって体毛の除去が行われる。この際、除毛器の中空部の内周面と外周面の間に冷却水が含まれるように本体に空間部が形成されているため、除毛時に発生する熱を解消する除毛器に関するものである。しかし、前記特許文献３は、冷却水によって皮膚が冷却されるので、携帯用除毛器に貯蔵された冷却水による冷却効率が落ちるだけでなく、長期間の使用の際、冷却水の温度が上昇して冷却性能が低下することがある。
【０００７】
また、前記特許文献３は、水冷式冷却構造を持つため、これによる防水構造を具現しにくく、特に電気、電子的な部品によって除毛されるので、故障発生の防止及び感電などの安全事故を防止するためには非常に細密な防水構造を導入しなければならないため、製作が難しいだけでなく、冷却水に吸収された熱を効果的に解消しにくいため、除毛器の冷却機能を具現するのに限界がある。
【０００８】
また、前記特許文献２及び３は、出力周波数によって多様な効果を有する光線を除毛の目的だけで使うことになるので、使用の用途が限定的であって汎用性及び効用性が落ちる問題点がある。
【先行技術文献】
【特許文献】
【０００９】
【特許文献１】大韓民国登録特許第１０−０９１５３７１号明細書
【特許文献２】大韓民国登録実用新案第２０−０３６０１５０号明細書
【特許文献３】大韓民国登録特許第１０−０８０１３７６号明細書
【発明の概要】
【発明が解決しようとする課題】
【００１０】
したがって、本発明は前記のような問題点を解決するためになされたもので、本発明は、除毛などの皮膚美容中に発生した高熱を易しく早く解消して皮膚刺激を減らし、これによる皮膚損傷を予め防止するようにして除毛及び皮膚マッサージなどに活用することができる光線出力部を備えた光線カートリッジと、別に皮膚接触によって熱を吸収した後に放熱しながら皮膚を冷却させるように放熱構造を設計して冷却性能が向上した接触吸熱部を備えたクーリングカートリッジとを含んでなる除毛器を提供することをその目的とする。
【００１１】
また、本発明は、前記光線カートリッジ及びクーリングカートリッジの使用を便利にし、携帯性を向上させて使用者の便宜を向上させるように、本体の装着部で、前記光線カートリッジ及びクーリングカートリッジの取替えが可能な除毛器を提供することを他の目的とする。
【００１２】
さらに本発明は、光線カートリッジとクーリングカートリッジの機能調節によって除毛、皮膚マッサージ、皮膚美白、角質除去などの多様な皮膚美容に活用することができる皮膚美容のための多目的光線照射器を提供することをさらに他の目的とする。
【００１３】
また、本発明は、冷却カートリッジによって皮膚冷却効率を高めるだけでなく、光線カートリッジで除毛する過程中に発生する熱をすぐ一定量以上解消して皮膚刺激を低下させるとともに、長期間の使用が可能となるように本体の装着部に冷却ファンをさらに備えている除毛器を提供することをさらに他の目的とする。
【００１４】
一方、本発明は、光線カートリッジで除毛する過程で使用者が所望の方式で光線を出力するとともに、使用者の不注意などの原因によって光線が無意識的に照射されることを防止するように、光線カートリッジの光線出力部に皮膚接触感知センサーをさらに備えている除毛器を提供することをさらに他の目的とする。
【００１５】
また、本発明は、前記冷却ファンによる冷却効率を向上させるために空気循環構造によって冷却されるように、本体の装着部に内外部の空気を循環させる換気手段を備えている除毛器を提供することをさらに他の目的とする。
【課題を解決するための手段】
【００１６】
前記のような目的を達成するために、本発明による除毛器は、
装着部を持つ本体；
前記装着部に着脱可能に装着され、光線出力部を備えた光線カートリッジ；及び
前記装着部に着脱可能に装着され、接触吸熱部を備えたクーリングカートリッジ；を含んでなる。
【００１７】
また、本発明による除毛器において、前記装着部は冷却ファンをさらに備えることができる。
【００１８】
また、本発明による除毛器において、前記光線カートリッジの光線出力部は皮膚接触感知センサーをさらに備えることができる。
【００１９】
また、また、本発明による除毛器において、前記装着部は内外部の空気を換気させる換気手段を備えることができる。
【発明の効果】
【００２０】
本発明による除毛器は、除毛や皮膚マッサージなどの皮膚美容のために光線を照射する光線カートリッジと、別に冷却性能に優れた放熱構造に製作された接触吸熱部を備えたクーリングカートリッジとを導入し、除毛後、クーリングカートリッジで皮膚の熱をすぐ解消することができるので、高熱による皮膚損傷を防止することができ、皮膚冷却のために水冷式冷却構造のような強制冷却方式を採択せずに、皮膚接触による吸熱による自然的な冷却構造を提供することにより、急冷による追加の皮膚刺激を引き起こさない利点がある。
【００２１】
また、本発明による除毛器は、光線カートリッジとクーリングカートリッジを単一本体で取り替えて使うことができるようにすることにより、使用が便利であり、特に本体の構造設計を簡素化するとともに放熱に最適化した構造を採択することにより、冷却性能に優れ、携帯が簡便で使用者の便宜性を向上させることができる。
【００２２】
また、本発明による除毛器は、光線カートリッジとクーリングカートリッジの機能を調節して使うことができるので、単純除毛の機能だけではなく、皮膚マッサージ、皮膚美白、角質除去などの多様な皮膚美容のための光線照射器として活用することができ、汎用性及び効用性に優れる。
【００２３】
また、本発明による除毛器は、本体の装着部に冷却ファンを導入し、接触による吸熱及び放熱から発展して、接触吸熱部そのものを送風で強制冷却させることにより、冷却効率が一層向上し、特に光線カートリッジの使用中にも冷却ファンによって一定量の熱が解消されるので、除毛器を長期間にわたって使っても皮膚刺激を減らすことができる利点がある。
【００２４】
一方、本発明による除毛器は、光線カートリッジの光線出力部に皮膚接触感知センサーを導入し、使用者がボタンの作動と同時に多様な形態に除毛器を制御して多様な皮膚美容の用途に活用することができて便利であり、皮膚接触がない状態で使用者の不注意などによって光線が照射されることを防止し、除毛器が使用者の意図に反して作動することを防止することができる。
【００２５】
また、本発明による除毛器は、本体の装着部に内外部の空気を換気させる空気循環手段を導入し、空気循環とともに冷却ファンによって冷却性能を一層向上させることができる。
【図面の簡単な説明】
【００２６】
【図１】本発明による携帯用除毛器の本体にそれぞれのカートリッジが装着されている状態を示す斜視図である。
【図２】本発明による携帯用除毛器の本体にそれぞれのカートリッジが装着されている状態を示す斜視図である。
【図３】本発明による携帯用除毛器の本体からそれぞれのカートリッジが分離されている状態を示す斜視図である。
【図４】本発明による携帯用除毛器の本体からそれぞれのカートリッジが分離されている状態を示す斜視図である。
【図５】本発明による携帯用除毛器の本体にそれぞれのカートリッジが装着されている状態を示す要部断面図である。
【図６】本発明による携帯用除毛器の本体にそれぞれのカートリッジが装着されている状態を示す要部断面図である。
【発明を実施するための形態】
【００２７】
本発明は多様な変更を加えることができ、いろいろの形態を持つことができる。これから、具現例（態様、ａｓｐｅｃｔ）または実施例を本文に詳細に説明する。しかし、これは本発明を特定の開示形態に限定しようとするものではなく、本発明の思想及び技術範囲に含まれるすべての変更、均等物ないし代替物を含むものに理解しなければならない。
【００２８】
各図において同一の参照符号、特に十の桁及び一の桁、または十の桁、一の桁及びアルファベットが同じな参照符号は同一または類似の機能を持つ部材を示し、特に言及がない場合、図面の各参照符号が指称する部材はこのような基準に準ずる部材に把握すれば良い。また、各図において、構成要素は理解の便宜上大きさや厚さを誇張して大きく（または厚く）あるいは小さく（または薄く）表現するとか単純化して表現しているが、これによって本発明の保護範囲が制限されて解釈されてはいけない。
【００２９】
本明細書で使用した用語はただ特定の具現例（態様、ａｓｐｅｃｔ）または実施例を説明するために使用されたもので、本発明を限定しようとする意図ではない。単数の表現は文脈上特に明記しない限り、複数の表現を含む。
【００３０】
本出願において、「含む」または「なる」などの用語は明細書上に記載された特徴、数字、段階、動作、構成要素、部品またはこれらの組合せが存在することを指定しようとするものであり、一つまたはそれ以上の他の特徴、数字、段階、動作、構成要素、部品またはこれらの組合せの存在または付加の可能性を予め排除しないものに理解されなければならない。
【００３１】
特に定義がない限り、技術的ないし科学的な用語を含み、ここで使われるすべての用語は本発明が属する技術分野で通常の知識を持つ者によって一般的に理解されるものと同一の意味を持っている。一般的に使われる辞書に定義されているもののような用語は関連技術が文脈上持つ意味と一致する意味を持つものに解釈されなければならず、本出願において明らかに定義しない限り、理想的なあるいは過度に形式的な意味に解釈されない。
【００３２】
本明細書に記載された「第１」、「第２」などは互いに異なる構成要素であることを区分するために指称するものであるだけ、製造手順に限定されなく、発明の詳細な説明と請求範囲でその名称が一致しないこともある。
【００３３】
本発明による除毛器を説明するにあたり、便宜上厳密ではない概略の方向基準を図１ないし図６に基づいて特定すれば、重力が作用する方向を下側にし、目に見える図面を基準として上下左右を特定する。特に、図面において、上側方向、つまりそれぞれのカートリッジ２０、３０が装着される方向を前方にし、本体１０の下面に操作ボタン部１８が備えられる方向を後方にして前後を決め、上側及び前方、下側及び後方を混用して説明して、他の図に関連した発明の詳細な説明及び請求範囲においても他の特別な言及がない限り、この基準によって方向を特定して記述する。
【００３４】
また、説明に先立ち、この明細書に開示する除毛器または光線照射器は光線出力によって除毛を含んだ皮膚美容に使用するすべての装置を包括するもので、説明の便宜上、除毛器または光線照射器を混用して説明する。
【００３５】
以下、本発明による光線カートリッジ及びクーリングカートリッジの取替えが可能な携帯用除毛器を添付図面に基づいて説明する。
【００３６】
まず、図１〜図６に示したように、本発明による除毛器は、大別して光線カートリッジ２０、クーリングカートリッジ３０、及び前記カートリッジを取り替えて使うことができるようにする本体１０を含んでなる。図１、図３及び図５は光線カートリッジ２０が本体１０に装着された状態をそれぞれ示す図であり、図２、図４及び図６はクーリングカートリッジ３０が本体１０に装着された状態をそれぞれ示す図である。特に、図５及び図６の断面図は、説明の便宜上、断面の一部にだけ断面表示斜線で示し、残りの構成の断面表示は省略した。
【００３７】
図１〜図４に示したように、前記本体１０は、使用者が易しく把持して使うことができるように、流線形胴体を持ち、胴体の内部にはカートリッジの作動を制御するための制御部（図示せず）が内蔵されている。
【００３８】
図１の下側の円内の一部拡大図に示したように、本発明の本体１０はカートリッジの作動のためのボタン部１８を備えている。ボタン部１８が本体１０の外周面、つまり使用者が使用時に把持する部位に備えられる場合、意図しないボタンの作動によって除毛器の未作動や誤作動が発生することができるので、本体１０の後方底面に前記ボタン部１８を備えることがより好ましい。
【００３９】
前記ボタン部１８は、本体１０の電源をオン／オフするためのパワーボタン１８Ａ、後述する光線カートリッジ２０及びクーリングカートリッジ３０を取り替えて使うとき、それぞれのカートリッジの機能が作動するようにするモード選択ボタン１８Ｂ、及びそれぞれのカートリッジの機能を調節する調節ボタン１８Ｃを含む。このうち、前記モード選択ボタン１８Ｂは、それぞれのカートリッジを締結した後、カートリッジの機能に合うモードを選択してそのモードによる除毛器の作動が行われるようにする。
【００４０】
すなわち、光線カートリッジ２０を装着した後、除毛モードを選択して体毛を除去することができ、クーリングカートリッジ３０を装着した後、冷却モードを選択して冷却機能を具現するようにする。この際、光線カートリッジ２０が装着された状態でモード選択ボタン１８Ｂを介して皮膚美白モードを選択すれば、制御部が光線カートリッジ２０の光線出力部２１を通じて照射される光線の出力を調節することで、皮膚角質の除去、美白、マッサージの効果が奏されるようにする。そして、前記調節ボタン１８Ｃによって各機能の強さ、つまり除毛モードでは照射される光線出力の調節、冷却モードでは冷却強度の調節が可能となるようにすることができる。
【００４１】
このような光線の出力調節は、前記調節ボタン１８Ｃによって、光線の周波数帯域によって皮膚に適用される機能を変えて選択することができるようにする。すなわち、前記調節ボタン１８Ｃによって高周波の光線を出力すれば、皮膚マッサージ効果とともに、毛嚢にダメージが加えられて綿毛などの除毛及び角質除去の効果が同時に具現され、低周波光線を出力すれば、皮膚マッサージによってにきび、しみなどを緩和させて皮膚美白の効果を具現することができる。また、クーリングカートリッジ３０が装着されたときにおいても、前記調節ボタン１８Ｃで冷却機能、つまり冷却温度を調節すれば、冷却マッサージによる皮膚美容に本発明の除毛器を活用することができる。
【００４２】
前記ボタン部１８には、前記モード選択ボタン１８Ｂの作動によって選択されたモードを表示する第１ディスプレイ１８ｂと、前記調節ボタン１８Ｃの作動によって強度を表示する第２ディスプレイ１８ｃとをさらに備えることができる。
【００４３】
したがって、本発明の除毛器は、除毛だけではなく、光線出力による多様な皮膚美容効果を期待することができる多目的光線照射器として機能し、従来の単純な除毛器を脱して皮膚美容のための光線照射器として多様な機能を提供することができる。
【００４４】
つぎに、本発明の本体１０には電源供給のための電源供給手段をさらに備える。本発明の主目的の一つである携帯性向上のために、電源供給手段として、本体１０の内部に外部電力を充電して使うことができるようにする充電池（図示せず）を内蔵していることが好ましく、充電池の充電と同時に外部電力ソケットにプラグを連結して外部電力を直接印加して除毛器を使い、種々のプラグを使って外部電力を使うことができるように、本体１０の一側に充電池と連結されたＵＳＢ端子部（図示せず）を備えることがより好ましい。
【００４５】
一方、図１〜図６に示したように、本発明の本体１０の前方には前記カートリッジの着脱のための装着部１１をさらに備えている。前記装着部１１は本体１０と一体に形成できるが、後述する空気循環手段１４の製作容易性のために、図３及び図４に示したように、本体１０の前方に結合され、クーリングカートリッジ３０の第１締結部３０ａが締結される第１対応締結部１２ａを持つ第１装着部材１２と、前記第１装着部材１２の前方に結合され、光線カートリッジ２０の第２締結部２０ａが締結される第２対応締結部１３ａを持つ第２装着部材１３とからなる。
【００４６】
まず、図１及び図３に示したように、本発明の光線カートリッジ２０は下部外周縁部に沿って前記第２締結部２０ａが備えられた円筒状部材で、前方に光線出力部２１を備えている。
【００４７】
前記光線カートリッジ２０の第２締結部２０ａと前記装着部１１の第２対応締結部１３ａは公知の締結形態、つまり雄雌型締結溝及び突起などから具現できる。例えば、光線カートリッジ２０を本体１０の装着部１１に加圧することだけで装着することができるワンタッチ加圧装着方式または光線カートリッジ２０を本体１０の装着部１１に装着した状態で回転によって装着する回転装着方式または別途の装着ボタンによって光線カートリッジ２０を本体１０の装着部１１に装着させるボタン装着方式を考慮することができ、このような形態に具現される光線カートリッジ２０と本体１０の装着は後述するクーリングカートリッジ３０と本体１０の装着にも同様に適用可能である。
【００４８】
そして、前記光線カートリッジ２０の光線出力部２１は、前方から後方に陷沒した装着凹部２２と、前記装着凹部２２に結合され、本体１０の電源供給手段及び制御部と電気的に連結されて光線を出力する光線ランプ２３とを含む。
【００４９】
本発明において、前記光線ランプ２３を通じて出力される光線の概念は、光線を用いた除毛、皮膚マッサージなどのすべての皮膚美容に使われる無形のエネルギーを包括する概念であり、代表的に超音波、レーザー、光パルス（ＩＰＬ；Ｉｎｔｅｎｓｉｖｅ Ｐｕｌｓｅ Ｌｉｇｈｔ）などがあり、以下では説明の便宜上除毛の目的で活用される光線を代表的に説明する。
【００５０】
超音波による除毛方式は、各種の手術や施術などに使われる超音波を皮膚に照射して体毛の毛根を除去する方式であり、レーザーによる除毛方式は特定の媒質から出る特定波長帯の光を用いて体毛の毛根を除去する方式であり、光パルスによる除毛方式は一定範囲の波長帯域を持つ光を周期的なパルス形態で放出させて体毛の毛根を除去する方式である。
【００５１】
このように多様な形態の光線を用いた除毛方法は、代表的に光線が皮膚のメラニン色素に吸収されながら熱エネルギーに変わって体毛の毛根を破壊することになり、光線放出によって高熱が発生し、長期間露出の際、皮膚組職に刺激を引き起こして皮膚が損傷される危険がある。これにより、光線の照射による除毛の後、これに伴って適切な後続措置を取って使用者の皮膚を冷却、安定させて刺激を解消することが必要であるが、本発明は、皮膚接触によって熱を吸収して除毛器から放出することによって冷却機能を具現する放熱構造の設計に製作されたクーリングカートリッジ３０を本体１０の装着部１１に取り替えて使うことができるようにして前述した問題点を解決した。
【００５２】
このために、図２、図４及び図６に示したように、前記クーリングカートリッジ３０は、下部外周縁部に沿って前記第１締結部３０ａを持つ円筒状部材であり、前方に露出された接触吸熱部３１を備え、使用者が接触吸熱部３１を除毛された皮膚に接触させれば、接触吸熱部３１が高熱を吸収した後、これをクーリングカートリッジ３０の後方に伝達することにより、放熱されながら自然に熱が解消される。
【００５３】
前記接触吸熱部３１は伝熱効率に優れた素材を使うことが好ましい。本発明は、前記接触吸熱部３１を熱電素子（Ｔｈｅｒｍｏｅｌｅｃｔｒｉｃ ｅｌｅｍｅｎｔ）から製作し、吸熱及び伝熱による放熱によって皮膚が冷却されるようにすることができる。
【００５４】
代表的な熱電素子としてペルチェ素子がある。これは、異なる金属を両端だけ互いに接合した状態で両方に電気を流せば、一方の金属では熱を吸収し、他方の金属では熱を放出するペルチェ（Ｐｅｌｔｉｅｒ）効果を用いた素子であり、通常的な冷却ファンや冷却機などの多くの産業分野で使われている素子を言う。
【００５５】
本発明は、前記ペルチェ素子のように、吸熱及び伝熱効率に優れた熱電素子の露出部を接触吸熱部３１の冷却部として機能するようにし、反対側、つまりクーリングカートリッジ３０の内側後方と連結された非露出部を放熱部として機能するようにすることにより、接触吸熱部３１が皮膚と接触して熱を吸収し、吸収された熱を後方に放熱させ、皮膚を冷却させて皮膚鎮静の効果を具現するようにした。
【００５６】
この際、熱電素子からなる接触吸熱部３１の放熱、冷却の効果を向上させることができるように、前記接触吸熱部３１は皮膚との接触面積を最大に確保することが好ましく、これにより、図６に示したように、接触吸熱部３１の中央には前方に向けて突出した突出接触部３１Ａを備え、皮膚接触に鑑みて前記突出接触部３１Ａは緩い球形に形成される。
【００５７】
また、接触吸熱部３１の接触面積を最大に確保し、後述する冷却ファン１９及び空気循環手段１４による放熱効果を向上させるために、本発明のクーリングカートリッジ３０は図５に示した光線カートリッジ２０の形態とは異なり、図６に示した形態、つまり中央外側面が突出したチューブ形部材として備えられ、これによりクーリングカートリッジ３０の下端部に備えられた第１締結部３０ａは、装着部１１の第２対応締結部１３ａではない第１対応締結部１２ａに締結される方式でカートリッジと本体１０が装着される（各締結部は図３及び図４参照）。
【００５８】
すなわち、本発明のクーリングカートリッジ３０は、接触吸熱部３１を構成する熱電素子が前後方を貫くように備えられる。この際、熱電素子の後端部は第２装着部材１３の上面に接触して放熱がなされる。これにより、熱電素子の後端部、つまり放熱部が外部に露出されないようにクーリングカートリッジ３０が第２装着部材１３を覆うように装着され、第１装着部材１２の第１対応締結部１３ａにクーリングカートリッジ３０の第１締結部３０ａが結合される形態に構成される。このような構造のクーリングカートリッジ３０は、内蔵される熱電素子の直径を最大に確保することができるので、接触による吸熱及び放熱の機能を極大化することができる。
【００５９】
また、図４及び図６に示したように、本発明のクーリングカートリッジ３０は外周面に多数の通気孔３２が穿設され、熱電素子の内側に空気が循環して放熱効果を向上させることができるようにする。
【００６０】
そして、図面には示されていないが、前記光線カートリッジ２０とクーリングカートリッジ３０は、前記本体１０の装着部１１に装着される場合、それぞれの締結部または別の電気連結手段を介し、上述したボタン部１８の操作によって制御部がそれぞれのカートリッジの光線出力部２１及び接触吸熱部（熱電素子）の機能を制御してモードの選択及び強度調節によって上述した機能をそれぞれ具現することができる。
【００６１】
つぎに、本発明は、図３〜図６に示したように、前記装着部１１に冷却ファン１９を導入して光線カートリッジ２０及びクーリングカートリッジ３０を常時冷却させることができるようにした。
【００６２】
図面には説明の便宜上前記冷却ファン１９が箱状部材として示されているが、冷却ファン１９は基本的に前記それぞれのカートリッジ２０、３０が接触する第２装着部材１３の内部空間に送風させてカートリッジを冷却させる部材である。したがって、前記冷却ファン１９は送風のための公知の部材であり、代表的に一側に送風させるために形成されたプロペラを備えた冷却部材があり、この外にも他の公知の方式で送風させてそれぞれのカートリッジの発熱、より広くは本体１０の内部で発生する発熱を解消させるすべての形態の部材を意味する。
【００６３】
前記冷却ファン１９は、装着部１１、より詳細に第１装着部材１２の隔板１２Ａの上面に固定設置されることが好ましく、これにより前記第２装着部材１３は光線カートリッジ２０の装着部１１として機能するだけでなく、冷却ファン１９が外部に露出されないようにするハウジングとして機能するようになる。
【００６４】
図面には示されていないが、前記冷却ファン１９は本体１０の充電池から電源を受けて作動し、制御部と電気的に連結され、それぞれのカートリッジの作動時に冷却ファン１９が連動して作動する方式、または別途のボタンによって冷却ファン１９の作動する方式が考慮できる。
【００６５】
また、本発明は、冷却ファン１９によって冷却効果を一層向上させるために、前記装着部１１に空気を循環させる放熱構造設計を導入した。このために、図３〜図６に示したように、本発明の装着部１１には内外部の空気が循環するようにする空気循環手段１４をさらに備えている。
【００６６】
まず、前記空気循環手段１４は、前記第１装着部材１２の隔板１２Ａに穿設された多数の空気循環孔１６を含む。前記空気循環孔１６は隔板１２Ａの周縁部に沿って穿設され、多数の空気循環孔が放射状に備えられることが好ましい。前記空気循環孔１６を通じて第１装着部材１２と第２装着部材１３の内部空間が互いに連通することにより、装着部材間の空気が循環してカートリッジの発熱（放熱）の解消機能を向上させることができる。
【００６７】
この際、前記第１装着部材１２の隔板１２Ａの上部に前記冷却ファン１９が備えられているので、前記隔板１２Ａの中央には上側に突出した凸部１２ｂ（図５参照）が備えられ、この凸部１２ａに前記冷却ファン１９が固定設置され、隔板１２Ａと冷却ファン１９との間に離隔空間が形成されることにより、空気の循環がよりなだらかになるようにする。また、図３〜図６に示したように、前記空気循環手段１４は、前記第１装着部材１２の外周面に穿設された複数の空気循環孔１５を含む。
【００６８】
前記空気循環孔１５は、前記空気循環孔１６と同様に、スリット形の空気循環孔が外周面に沿って多数配置される方式でなることができるが、装着部１１の内外部空気循環機能を極大化するために、図面に示したように、長方形の空気循環孔１５が第１装着部材１２の外周面に沿って一つ以上穿設される方式がより好ましい。したがって、前記冷却ファン１９が作動すれば、空気循環孔１６を通じて第１装着部材１２内の空気を吸いこんで上側に向けて送風させて循環させるようになる。このような循環構造により、前記空気循環孔１５を通じて外部の空気が内部に供給され、室温の新鮮な空気が常時装着部１１の内部に循環して冷却がなされる。
【００６９】
この際、前記カートリッジ、特にクーリングカートリッジ３０の内部には垂直方向に穿設されて通気孔３２と連通する多数の補助循環孔（図示せず）を備えて冷却効率を一層高めることができる。また、図５及び図６に示したように、本発明の装着部１１は、第１装着部材１２の底部周縁から上側中央に向けて傾くように突設された傾斜案内部１７を備えることで、空気循環孔１５を通じて流入する外部空気が前記冷却ファン１９によりなだらかに案内されて流入するようにする。
【００７０】
すなわち、前記傾斜案内部１７は第１装着部材１２の内部に形成された円錐形部材で、空気循環孔１５が形成された側壁から中央上側に向けて傾くように備えられ、冷却ファン１９によって内部に吸入される外部空気が前記傾斜案内部１７に接触しながら上部に案内されることにより、第２装着部材１３の内部への空気流入効率を向上させるようにする。また、前記傾斜案内部１７は、外部空気案内機能だけではなく、循環される空気の冷却効率を向上させるために、クーリングカートリッジの接触吸熱部のように伝熱の面で効率的な素材（例えば、熱電素子）から製作されることができる。
【００７１】
したがって、本発明は、除毛器の使用による内部発熱を効果的に解消するだけでなく、クーリングカートリッジ３０の熱電素子（接触吸熱部３１）を常時冷却させることで、クーリングカートリッジ３０の冷却性能を極大化させることができるようになる。これにより、本発明は、上述した冷却ファン１９、空気循環手段１４など、本体１０の装着部１１及びそれぞれのカートリッジの冷却及び放熱の機能を極大化させる放熱構造の設計を採択することにより、皮膚の吸熱及び放熱の機能を極大化して光線カートリッジの基本性能、つまり除毛機能及び除毛後の皮膚安定化機能を向上させるとともに、光線出力の調節とともにそれぞれのカートリッジを組み合わせて使うことにより、皮膚美白、皮膚マッサージ（特に、冷マッサージ）、角質除去などの多様な皮膚美容に活用することができる多目的光線照射器として機能するようになる。
【００７２】
一方、図１及び図３に示したように、前記光線カートリッジ２０の光線出力部２１には皮膚接触感知センサー２４をさらに備えている。前記皮膚接触感知センサー２４は、容易な製造のために、前記装着凹部２２の周囲に装着される。光線カートリッジ２０を装着して使用する場合、使用者が光線出力部２１を皮膚に接触させたとき、前記センサー２４がこれを感知して光線ランプ２３から光線を出力させることができる。
【００７３】
前記皮膚接触感知センサー２４は単純接触作動方式または照度感知作動方式などで具現することができるが、皮膚以外の他の部位に光線カートリッジ２０が接触して感知センサー２４が誤作動を引き起こすことを防止するために静電式感知作動方式で具現することがより好ましい。前記皮膚接触感知センサー２４は、本体１０に内蔵された制御部と連動して皮膚接触を感知することによって光線ランプ２３の光線出力を制御するようになる。
【００７４】
皮膚接触感知センサー２４による光線出力制御方式は多様に具現することができ、例えば皮膚接触を感知した状態で一定時間が経った後に光線を出力する方式、または所定回数にかけて皮膚接触が感知されれば光線を出力する方式、または別途の作動ボタンによって最初の光線出力後に続いて皮膚接触が感知されれば、所定間隔で連続して光線を出力する方式、または皮膚接触時に光線の出力回数を制御する方式などを考慮することができる。
【００７５】
一方、図面には示されていないが、本発明の光線カートリッジ２０は、前記光線出力部２１に光線フィルターを導入し、フィルターによって光線の波長を一次に調節するように構成されることができる。前記フィルターは前記装着凹部２２の上側開口部を閉鎖する形に備えられ、透光性材からなり、フィルターを透過して照射される光線を一定波長に自動で調節する。
【００７６】
これは、同一周波数の光線が照射されても、使用者の皮膚状態、皮膚コンディション、皮膚体質などによって皮膚（人体）の反応が異なるようにすることができ、よって前記調節ボタン１８Ｃによって光線の出力を画一的に調節する場合、使用者が意図しない副作用が発生することを防止するための構成である。このために、前記フィルターは前記装着凹部２２に着脱可能に備えられ、製作者は光線の波長を多様な帯域に濾して照射する複数のフィルターを使用者に提供し、使用者が自身の皮膚に合わせてフィルターを取り替えて使うことができるようにすることが好ましい。
【００７７】
以上、この明細書では説明の便宜上携帯用除毛器を代表的に説明したが、本発明の除毛器を別途の本体に連結されたハンドピース、プローブなどに活用して皮膚美容のための光線の照射装置に使われることができるのは明らかであり、これによって本発明の権利範囲が制限または縮小されて解釈されてはならない。
【００７８】
また、以上の本発明の説明においては、添付図面に基づいて特定の形状及び構造を持つ光線カートリッジ及びクーリングカートリッジの取替えが可能な携帯用除毛器を主に説明したが、本発明は当業者によって多様な修正、変更及び置換が可能であり、このような修正、変更及び置換は本発明の保護範囲に属するものに解釈されなければならない。
【産業上の利用可能性】
【００７９】
本発明は、光線カートリッジ及びクーリングカートリッジの取替えが可能な携帯用除毛器に適用可能である。
【符号の説明】
【００８０】
１０    本体
１１    装着部
１２    第１装着部材
１２Ａ  隔板
１２ａ  第１対応締結部
１３    第２装着部材
１３ａ  第２対応締結部
１４    空気循環手段
１５    空気循環孔
１６    空気循環孔
１７    傾斜案内部
１８    ボタン部
１９    冷却ファン
２０    光線カートリッジ
２０ａ  第２締結部
２１    光線出力部
２２    装着凹部
２３    光線ランプ
２４    皮膚接触感知センサー
３０    クーリングカートリッジ
３０ａ  第１締結部
３１    接触吸熱部
３２    通気孔
【図１】
0005917631.tif 000002
【図２】
0005917631.tif 000003
【図３】
0005917631.tif 000004
【図４】
0005917631.tif 000005
【図５】
0005917631.tif 000006
【図６】
0005917631.tif 000007